(57)【要約】【課題】  複数のオゾン発生管を備えるオゾン発生装置において、切替用の多方弁を不要として大幅なコスト削減を図る。【解決手段】  まず上流側のオゾン発生管２ａをオフ、下流側のオゾン発生管２ｂをオンにして稼働させる。オゾン発生管２ｂの電極に塵埃等が付着して性能が低下したら、切替スイッチ４を操作してオゾン発生管２ｂをオフ、オゾン発生管２ａをオンにする。オゾン発生管２ａでのオゾン生成でオゾン発生装置１の性能は維持される。切替スイッチ４の操作だけできわめて容易に切り替えできる。オゾン発生管２ａ、２ｂへの流路を切り替える必要はなく、複雑かつ高価な多方弁、その制御装置は一切不要となり、大幅なコスト削減が可能になる。【選択図】  図１
0003104319.tif 000002
【実用新案登録請求の範囲】
【請求項１】
一方の端から供給された気体を他方の端から流出させる筒状で、対をなす電極間に発生する放電により該通過する気体の酸素を原料としてオゾンを生成するオゾン発生管を備えるオゾン発生装置において、
上流の前記オゾン発生管を通過した前記気体が下流の前記オゾン発生管に流入する直列配置で、前記オゾン発生管を複数本備えたことを特徴とするオゾン発生装置。
【請求項２】
請求項１記載のオゾン発生装置において、
前記直列配置される前記オゾン発生管は２本であることを特徴とするオゾン発生装置。
【請求項３】
請求項１または２記載のオゾン発生装置において、
前記直列配置される複数本の前記オゾン発生管から選択される１本の前記オゾン発生管への給電をオンにし他の前記オゾン発生管への給電はオフにするための通電切替手段を備えたことを特徴とするオゾン発生装置。
【請求項４】
請求項３記載のオゾン発生装置において、
前記通電切替手段は、そのポジションに応じて前記複数本のオゾン発生管のうちの１本への給電だけをオンにする択一的な切替スイッチであることを特徴とするオゾン発生装置。
【請求項５】
請求項１ないし４のいずれか記載のにおいて、
前記オゾン発生管は前記気体の流路となるガラス管を備え、
前記対をなす電極の一方は該ガラス管の外面に、他方は該ガラス管の内側に配置されていることを特徴とするオゾン発生装置。
【考案の詳細な説明】
【技術分野】
【０００１】
本考案は、オゾン発生装置の技術分野に属する。
【背景技術】
【０００２】
一方の端から供給された気体を他方の端から流出させる筒状で、対をなす電極間に発生する放電により該通過する気体の酸素を原料としてオゾンを生成するオゾン発生管を備えるオゾン発生装置は公知であり、例えば特開２００３−１４６６２２号公報に開示されている。
【０００３】
そのようなオゾン発生管においては電極間に高電圧が印加されるために、供給される気体（例えば空気或いは酸素）に随伴する塵埃が電極に静電吸着し、これが放電を阻害してオゾンの生成量を低下させ、ときにはオゾンの生成が停止してしまうこともある。
【０００４】
また、空気を原料気体とする場合には、空気中の窒素及び水蒸気とオゾンが反応して微量の亜硝酸ミストを生成し、これが電極に徐々に付着して、塵埃と同様にオゾンの生成量の低下やオゾン生成の停止を招くことがある。
【０００５】
この対策として、出願人（会社）においては、図２に例示するように、１台のオゾン発生装置内に複数本（この例では２本）のオゾン発生管を並列に設置し、それらの上下流にそれぞれ多方弁（ここでは３方弁）を配置して、それらを同時に切り替えればいずれか１本を択一的に使用できる構成としていた。つまり、ある１本を使用していて、これに上述のようなオゾンの生成量の低下や生成の停止が起こった場合には他のオゾン発生管に切り替えることで、オゾン発生装置としては通常のオゾン生成を可能にしていた。
【特許文献１】特開２００３−１４６６２２号公報
【考案の開示】
【考案が解決しようとする課題】
【０００６】
図２に例示する構成であると、並列設置されるオゾン発生管の本数に応じて、例えば２本なら３方弁、３本なら４方弁、４本なら５方弁というように複雑かつ高価な多方弁を、前後に各１台、合計２台を必要とし、しかもこれら２台を同時に開閉制御する必要があった。
【０００７】
また、多方弁は強力な酸化腐食作用を持つオゾンガスに耐え得る材質であることを要求され、その製造も著しく困難であった。
【課題を解決するための手段】
【０００８】
請求項１記載のオゾン発生装置は、一方の端から供給された気体を他方の端から流出させる筒状で、対をなす電極間に発生する放電により該通過する気体の酸素を原料としてオゾンを生成するオゾン発生管を備えるオゾン発生装置において、上流の前記オゾン発生管を通過した前記気体が下流の前記オゾン発生管に流入する直列配置で、前記オゾン発生管を複数本備えたことを特徴とするので、複数本のオゾン発生管のいずれか１本を択一的に使用できる。
【０００９】
この稼働している１本のオゾン発生管においては塵埃が電極に静電吸着したり、亜硝酸ミストが付着したりするが、他のオゾン発生管は稼働しておらず、単に管路となっているだけであるから塵埃や亜硝酸ミストの付着は生じない。
【００１０】
従って、これまで使用していたオゾン発生管が、電極に静電吸着した塵埃や亜硝酸ミストにより、又は他の原因で性能低下した場合には、そのオゾン発生管への給電を停止して、他のいずれか１本に給電することで、オゾン発生装置としての性能を維持できる。
【００１１】
その際、休止させたオゾン発生管の電極に吸着した塵埃等は強固にこびりついているので気体の流れによって塵埃等が剥がれて気体中に紛れ込むおそれはない。すなわち、電極に付着した塵埃等の二次飛散で気体を汚染する心配はない。
【００１２】
また、亜硝酸ミストに関しては、オゾン発生管を最下流に位置するものから上流側へと順に選択して稼働させるようにすればよい。これにより、発生した亜硝酸ミストに曝されるのは稼働中の電極と使用済みの（それよりも下流側の）電極だけになり、上流側の未使用の電極には何ら影響しない。
【００１３】
複数本のオゾン発生管を直列配置にして１本ずつ択一的に使用することにより、複雑かつ高価な多方弁及び多方弁の制御装置は一切不要となり、従来と同等の性能を維持しつつ、大幅なコスト削減が可能になる。
【００１４】
請求項２記載のオゾン発生装置は、請求項１記載のオゾン発生装置において、前記直列配置される前記オゾン発生管は２本であることを特徴とする。
オゾン発生管を２本備えれば、少なくとも緊急時には切替稼働させることができ、その後、例えば定修時に古い１本を交換するとか、オゾン発生装置自体を交換するとかの対処をすればよいので、より低価格でオゾン発生装置を提供できる。また、即座の補修等が難しい環境での使用にも問題はない。
【００１５】
請求項３記載のオゾン発生装置は、請求項１または２記載のオゾン発生装置において、前記直列配置される複数本の前記オゾン発生管から選択される１本の前記オゾン発生管への給電をオンにし他の前記オゾン発生管への給電はオフにするための通電切替手段を備えたから、稼働させるオゾン発生管の切替は通電切替手段による給電のオン、オフだけで済み、その作業はきわめて容易である。
【００１６】
この場合、通電切替手段として各オゾン発生管に１つ当てでスイッチを設けて、いずれか１つのスイッチをオン、他はオフとする構成でもよいが、複数本が同時にオンにされる操作ミスのおそれがないとは言えない。
【００１７】
従って、請求項４記載のように、請求項３記載のオゾン発生装置において、前記通電切替手段は、そのポジションに応じて前記複数本のオゾン発生管のうちの１本への給電だけをオンにする択一的な切替スイッチであるのが望ましい。このようにすれば、複数本が同時にオンにされる操作ミスのおそれはない。また、全てがオフになるおそれもない。しかも、１個の切替スイッチを操作するだけであるから、その作業は一層容易である。
【００１８】
オゾン発生管の構造に限定はないが、請求項５記載の構成、すなわち前記オゾン発生管は前記気体の流路となるガラス管を備え、前記対をなす電極の一方は該ガラス管の外面に、他方は該ガラス管の内側に配置されている構成を採用するとよい。なお、ガラス管は石英ガラス、パイレックス（登録商標）ガラス等が好ましい。
【考案を実施するための最良の形態】
【００１９】
次に、本発明の最良の実施形態を説明する。
図１に示すように、オゾン発生装置１は、２本のオゾン発生管２ａ、２ｂ、各オゾン発生管２ａ、２ｂに給電するための電源３、電源３からの電力をオゾン発生管２ａ、２ｂに選択的に供給する切替スイッチ４（通電切替手段）を備えている。
【００２０】
２本のオゾン発生管２ａ、２ｂは接続配管５で接続されており、例えばブロワにより供給口６から送り込まれた気体（例えば空気）がオゾン発生管２ａ、２ｂを通って排出口７から流出する構成である。なお、接続配管５及び排出口７は、例えば塩化ビニル等の耐オゾン性の材料によって製造されている。
【００２１】
切替スイッチ４は、そのポジションをオゾン発生管２ａ側にすればオゾン発生管２ａに給電されるが、オゾン発生管２ｂはオフになり、逆のポジションならオゾン発生管２ａがオフでオゾン発生管２ｂがオンになる。
【００２２】
詳細の図示は省略するが、オゾン発生管２ａ、２ｂは、石英ガラス管、その外面に配された電極と内側に配された電極とを備える構成で、上述のようにオゾン発生管２ａ、２ｂに流入した気体は、その石英ガラス管内を流れる。そして、給電されているときには、石英ガラス管の内外で対をなす電極間に高電圧を印加することができ、その際の放電によって気体中の酸素をオゾンに変化させる。
【００２３】
このオゾン発生装置１を使用する際には、始めに図１（ａ）のように上流側のオゾン発生管２ａをオフ、下流側のオゾン発生管２ｂをオンにして稼働させる。
すると、給電されてオゾンを生成しているオゾン発生管２ｂにおいては、供給口６からの空気に随伴してきた塵埃が電極に静電吸着したり、また空気中の窒素を原料とした亜硝酸ミストが電極に付着したりするが、休止しているオゾン発生管２ａは単に空気が通るだけであるから塵埃や亜硝酸ミストの付着は生じない。オゾン発生管２ｂで亜硝酸ミストが発生して、これが空気の流れで運ばれても、上流側のオゾン発生管２ａには何ら影響しない。
【００２４】
使用していたオゾン発生管２ｂが、電極に静電吸着した塵埃や亜硝酸ミストにより、又は他の原因で性能低下した場合には、切替スイッチ４のポジションを切り替えて、図１（ｂ）のようにオゾン発生管２ｂへの給電をオフ、オゾン発生管２ａへの給電をオンにする。これにより、オゾン発生管２ｂでのオゾン生成が止まるがオゾン発生管２ａでのオゾン生成が始まるので、オゾン発生装置１としてのオゾン生成性能は維持される。
【００２５】
休止させたオゾン発生管２ｂの電極に吸着した塵埃等は強固にこびりついているので空気の流れによって塵埃等が剥がれて気体中に紛れ込むおそれはない。すなわち、電極に付着した塵埃等の二次飛散で気体を汚染する心配はない。
【００２６】
このように、切替スイッチ４のポジションの変えるだけのきわめて容易な操作でオゾン発生管２ｂからオゾン発生管２ａに切り替えできるから、ただちに補修できない状態（又は即座の補修が難しい環境）でも、オゾン発生装置１としての機能を維持できる。
【００２７】
オゾン発生管２ｂからオゾン発生管２ａに切り替えた後、例えば定修時に古い方（ここではオゾン発生管２ｂ）を交換しておけば、オゾン発生管２ａが性能低下した場合も心配ない。
【００２８】
２本のオゾン発生管２ａ、２ｂを直列配置にして１本ずつ択一的に使用する構成を採用したことにより、オゾン発生管２ａ、２ｂへの流路を切り替える必要はなく、複雑かつ高価な多方弁及び多方弁の制御装置は一切不要となり、従来と同等の性能を維持しつつ、大幅なコスト削減が可能になる。
【図面の簡単な説明】
【００２９】
【図１】実施例のオゾン発生装置の説明図。
【図２】従来例のオゾン発生装置の説明図。
【符号の説明】
【００３０】
１・・・オゾン発生装置、
２ａ・・・オゾン発生管、
２ｂ・・・オゾン発生管、
３・・・電源、
４・・・切替スイッチ、
５・・・接続配管、
６・・・供給口、
７・・・排出口。
【図１】
0003104319.tif 000003
【図２】
0003104319.tif 000004